(57)【要約】【課題】外添剤剤などによる汚染を抑制し帯電機能を維持する帯電装置及び画像形成装置を提供する。【解決手段】ブラシ位置変化部２３は、画像形成装置１の用紙使用量が１万枚までのとき、ブラシ２２の静電植毛の感光体１０に対する食い込みが、回転方向の長さ０．５ｍｍの食込領域Ｋａとなるような位置に軸２１を配置している。ブラシ位置変化部２３は、画像形成装置の用紙使用量が１万枚を超え２万枚までのとき、ブラシ２２の静電植毛の感光体１０に対する食い込みが、回転方向の長さ１．２５ｍｍの食込領域Ｋｂとなるような位置に軸２１を変化させる。また、ブラシ位置変化部２３は、画像形成装置の用紙使用量が２万枚を超え３万枚までのとき、ブラシ２２の静電植毛の感光体１０に対する食い込みが、回転方向の長さ２．０ｍｍの食込領域Ｋｃとなるような位置に軸２１を変化させる。【選択図】図２
2014153452.tif 000002
【特許請求の範囲】
【請求項１】
軸及び前記軸の表面に設けられた導電性の繊維を備え、前記繊維が回転する感光体と接触するように配置されて前記感光体を帯電させるブラシと、
前記感光体に接触する前記繊維の位置を変化させる接触位置変更手段と、
前記ブラシによる前記感光体への帯電時間又は帯電時間に相当する値の増加に応じて、前記接触位置変更手段を制御し、前記感光体に接触する前記繊維の位置を変化させる制御部とを備えた
ことを特徴とする帯電装置。
【請求項２】
前記接触位置変更手段が、前記感光体と前記軸との相対位置を変えるブラシ位置変化部であり、
前記制御部は、前記帯電時間又は帯電時間に相当する値の増加に応じて、前記軸と前記感光体とを近づける
ことを特徴とする請求項１に記載の帯電装置。
【請求項３】
前記接触位置変更手段が、ブラシ回転変化部であり、
前記帯電時間又は帯電時間に相当する値の増加に応じて、
前記軸の回転速度又は回転方向を変化させる
ことを特徴とする請求項１に記載の帯電装置。
【請求項４】
前記接触位置変更手段が、前記ブラシの繊維に接触して当該繊維の向きを傾けるように前記軸方向に移動するブラシならし部であり、
前記制御部は、前記帯電時間又は帯電時間に相当する値の増加に応じて、移動の速度、又は、方向を変化させる
ことを特徴とする請求項１又は請求項２に記載の帯電装置。
【請求項５】
請求項１から請求項４のいずれか１項に記載の帯電装置を有し、供給された記録媒体に画像を形成することを特徴とする画像形成装置。
【発明の詳細な説明】
【技術分野】
【０００１】
本発明は、帯電装置及び画像形成装置に関する。
【背景技術】
【０００２】
複写機、プリンターなどの画像形成装置では、電荷受容体である感光体表面を帯電装置により帯電させ、像光の照射により表面に静電潜像を形成し、現像剤の付着によりこの静電潜像を可視化する。このような画像形成装置の感光体を帯電する帯電装置としては、コロナ放電を利用して感光体を帯電するスコロトロンなどが使用されている。
【０００３】
このスコロトロンは、感光体等の像担持体を均一に帯電する手段としては有効な装置であるが、表面電位に帯電するためには、高い電圧を印加しなければならず、高圧電源が必要となる。このスコロトロンに代わる帯電装置として、バイアス電圧を印加した帯電用のブラシを使用して感光体に接触させて帯電する接触型のものがある（特許文献１、２参照）。
【先行技術文献】
【特許文献】
【０００４】
【特許文献１】特開２００５−０７７９６７号公報
【特許文献２】特開２００８−０９０２７７号公報
【発明の概要】
【発明が解決しようとする課題】
【０００５】
本発明は、外添剤などによる汚染を抑制し帯電機能を維持する帯電装置及び画像形成装置を提供することを目的とする。
【課題を解決するための手段】
【０００６】
請求項１に記載の発明は、軸及び前記軸の表面に設けられた導電性の繊維を備え、前記繊維が回転する感光体と接触するように配置されて前記感光体を帯電させるブラシと、前記感光体に接触する前記繊維の位置を変化させる接触位置変更手段と、前記ブラシによる前記感光体への帯電時間又は帯電時間に相当する値の増加に応じて、前記接触位置変更手段を制御し、前記感光体に接触する前記繊維の位置を変化させる制御部とを備えたことを特徴とする帯電装置である。
【０００７】
請求項２に記載の発明は、前記接触位置変更手段が、前記感光体と前記軸との相対位置を変えるブラシ位置変化部であり、前記制御部は、前記帯電時間又は帯電時間に相当する値の増加に応じて、前記軸と前記感光体とを近づけることを特徴とする請求項１に記載の帯電装置である。
【０００８】
請求項３に記載の発明は、前記接触位置変更手段が、、ブラシ回転変化部であり、前記帯電時間又は帯電時間に相当する値の増加に応じて、前記軸の回転速度又は回転方向を変化させることを特徴とする請求項１に記載の帯電装置である。
【０００９】
請求項４に記載の発明は、前記接触位置変更手段が、前記ブラシの繊維に接触して当該繊維の向きを傾けるように前記軸方向に移動するブラシならし部であり、前記制御部は、前記帯電時間又は帯電時間に相当する値の増加に応じて、移動の速度、又は、方向を変化させることを特徴とする請求項１又は請求項２に記載の帯電装置である。
【００１０】
請求項５に記載の発明は、請求項１から請求項４のいずれか１項に記載の帯電装置を有し、供給された記録媒体に画像を形成することを特徴とする画像形成装置である。
【発明の効果】
【００１１】
請求項１に記載の発明によれば、本構成を有しない場合に比して、外添剤などでの汚染による帯電不良の抑制が可能な帯電装置を提供できる。
請求項２から請求項４に記載の発明によれば、本構成を有しない場合に比して、ブラシの有効的な使用により帯電不良を抑制することができる。
本発明の請求項５に記載の画像形成装置によれば、請求項１から請求項４のいずれか１項に記載された帯電装置を有していない場合と比して、帯電不良による出力画像の画質の低下を抑制することができる。
【図面の簡単な説明】
【００１２】
【図１】本発明の帯電装置を用いた画像形成装置の一例を示す概略構成図である。
【図２】第１実施形態の帯電装置を示す模式図である。
【図３】第１実施形態の帯電維持の結果を示すテーブルである。
【図４】ブラシ位置変化部の一例を示す模式図である。
【図５】第２実施形態の帯電装置を示す模式図である。
【図６】ブラシ回転変化部の一例を示す模式図である。
【図７】第３実施形態の帯電装置を示す模式図である。
【発明を実施するための形態】
【００１３】
以下、実施形態について図面を参照して説明する。図１は、帯電装置を用いた画像形成装置の概略構成図である。実施形態の画像形成装置１は、制御部２と、感光体１０、帯電装置２０、露光部３０、現像部４０、転写部５０、定着部６０、クリーニング部７０、用紙収納部８０、及び用紙供給部８１を有し、供給される画像情報に応じて記録媒体である用紙Ｐなどに画像を形成する。
【００１４】
制御部２は、ＣＰＵ（Ｃｅｎｔｒａｌ  Ｐｒｏｃｅｓｓｉｎｇ  Ｕｎｉｔ）などの演算装置やメモリを備え、画像形成装置１の各構成の動作を制御する。感光体１０は、像を保持するための有機感光材料で形成された感光層を有する円筒状の図１に示す矢印方向に回転する回転体である。
【００１５】
帯電装置２０は、回転する軸２１と、この軸２１の表面に設けられた導電性の繊維の一例である静電植毛による繊維を備えたブラシ２２を有し、ブラシ２２の繊維が感光体１０の表面と接するように配置され、この感光体１０の回転とともに回転し、感光体１０を予め定められた電位に帯電させる。
また、帯電装置２０は、ブラシ２２による感光体１０への帯電時間又は帯電時間に相当する値の増加に応じて、ブラシ２２から感光体１０への帯電を維持するための接触位置変更手段の一例であるブラシ位置変化部２３を有している。
さらに、帯電装置２０は、画像形成装置１と制御部２を共有している。帯電装置２０の具体的な実施形態については後述する。
【００１６】
露光部３０は、帯電装置２０で帯電された感光体１０の表面に、入力されたデータに対して処理がされた画像データに応じた光を照射して、電位差に基づく潜像電位からなる静電潜像を形成する。この静電潜像は、感光体１０の回転にともない現像部４０が配置されている位置まで移動する。
【００１７】
現像部４０は、回転する現像ロール４１を有し、この現像ロール４１に吸着されているトナーが感光体１０に移行する。すなわち、このトナーは、感光体１０に形成されている静電潜像と帯電したトナーとの電位差によって、感光体１０の表面に移動する。このようにして、感光体１０にトナー像の形成が行われ、このトナー像は、感光体１０の回転にともない転写部５０が配置されている位置まで移動する。
【００１８】
転写部５０は、感光体１０に形成されているトナー像を、搬送ロール９１により搬送されてきた用紙Ｐに対して、静電的に転写する。転写部５０で、トナー像が転写された用紙Ｐは、搬送ロール９１で定着部６０に搬送される。定着部６０では、用紙が加熱ロール９２で、未定着であったトナー像が加圧及び加熱されることで、用紙Ｐにこのトナー増を定着させる。定着部６０で定着された用紙Ｐは、搬送ロール９１で搬送され収容される。
【００１９】
定着部６０は、加熱ロール９２を有し、感光体１０に形成されたトナー像を記録媒体である用紙Ｐに転写する。すなわち、定着部６０は、転写部５０で用紙Ｐに転写されたトナー像に対して、加熱ロール９２で加圧及び加熱を行うことにより、このトナー像を用紙Ｐに定着させる。クリーニング部７０は、用紙Ｐにトナー像が転写された後に、感光体１０の表面に残留するトナーなどを除去する。
【００２０】
用紙収納部８０では、複数の記録媒体である用紙Ｐが収納され、また、用紙供給部８１では、手差しで用紙Ｐが供給される。用紙Ｐは、用紙収納部８０又は用紙供給部８１から給紙ロール９０により取り出され、搬送ロール９１によって、転写部５０に搬送される。転写部５０では、この用紙Ｐにトナー像である画像が転写され、定着部６０でこの画像が定着される。図１に示す一点鎖線は、用紙Ｐの搬送経路を示している。なお、実施形態に用いられている画像を形成する対象物の記録媒体は用紙Ｐであるが、これに限定されず、例えば、透明性シート、ＯＨＰシートなどであってもよい。
【００２１】
（第１実施形態）
図２から図４を用いて第１実施形態の帯電装置２０について説明する。帯電装置２０は、回転可能なように設けられた軸２１と、この軸２１の表面に、導電性の繊維を静電植毛したり、または、導電性の繊維をパイル織りしたレースをスパイラル状に巻きつけ接着したりすることで作製した、予め定められた間隔で設けられた複数の繊維とからなるブラシ２２とを有する。本実施形態では、導電性の繊維は、ナイロンにカーボンブラックを分散させたものを使用したが、導電性を有していればよく限定されるものではない。
【００２２】
また、この帯電装置２０は、軸２１を感光体の方向に対して位置を変化させ、感光体へのブラシ２２の繊維の食い込みを変化させることで、感光体１０への帯電を維持する接触位置変更手段の一例であるブラシ位置変化部２３を有する。なお、ブラシ２２は、軸２１に外周面からの複数の繊維で構成されているが、説明の便宜上、図２においては、１本の繊維で示している。
【００２３】
このブラシ位置変化部２３は、ブラシ２２の繊維の側面が感光体１０と接触する部分、すなわち感光体１０に食い込む部分である食い込み領域が変化するように軸２１の位置を変化させる。このようにブラシ位置変化部２３により食い込み領域が変化することで、ブラシ２２の新たな部分が接触して食い込み領域となり、感光体１０への帯電が維持される。
【００２４】
図２（ａ）〜（ｃ）を用いて食い込み領域について説明する。図２（ａ）は、ブラシ２２による感光体１０への帯電時間の増加に応じて、具体的には帯電時間の累積が短いときの食い込み領域である食込領域Ｋａを示している。図２（ｂ）は、ブラシ２２による感光体１０への帯電時間の累積が長くなったときの食い込み領域である食込領域Ｋｂを示している。図２（ｃ）は、ブラシ２２によると感光体１０への帯電時間の累積がより長くなったときの食い込み領域である食込領域Ｋｃを示している。
【００２５】
このような食込領域Ｋａから食込領域Ｋｂへの変化は、ブラシ位置変化部２３が軸２１と感光体１０との相対位置を変化させることで生じる。すなわち、図２（ｂ）に示す軸２１とブラシ２２の配置は、図２（ａ）に示すものより、感光体１０に近くなっている。また、図２（ｃ）に示す軸２１とブラシ２２の配置は、図２（ｂ）に示すものより、感光体１０に近くなっている。すなわち、図２（ａ）から図２（ｃ）に示す食い込み領域は、食込領域Ｋａ＜食込領域Ｋｂ＜食込領域Ｋｃの関係になっている。これらの制御は、制御部２によって行う。
【００２６】
図３は、上記の食い込みの動作の一例を示している。図３に示す実施例では、帯電装置２０の予め定められた帯電時間の累積の初期、中期、及び後期を、帯電時間に相当する値の一例である画像形成装置１で使用する記録媒体の用紙使用量としている。すなわち、初期は用紙Ｐの用紙使用量が１万枚まで、中期は用紙Ｐの用紙使用量が１万枚を越え２万枚まで、後期は用紙Ｐの用紙使用量が２万枚を超え３万枚までとしている。
【００２７】
図３に示すように、ブラシ位置変化部２３は、用紙使用量が１万枚までのときの食い込み量を、食込領域Ｋａの回転方向の長さが０．５ｍｍとなるようしている。そして、ブラシ位置変化部２３は、用紙使用量が１万枚を超え２万枚までのときの食い込み量を、食込領域Ｋｂの回転方向の長さが１．２５ｍｍとなるようにしている。このように食込領域Ｋｂは、食込領域Ｋａと比べて、回転方向の長さ０．７５ｍｍが、新しい食い込み領域となっていることが分かる。
【００２８】
また、ブラシ位置変化部２３は、用紙使用量が２万枚を超え３万枚までの食い込み量を、食込領域Ｋｃの回転方向の長さが２．０ｍｍとなるようにしている。このように食込領域Ｋｃは、食込領域Ｋｂと比べて、回転方向の長さ０．７５ｍｍが、新しい食い込み領域となっていることが分かる。なお、上記の食込領域の数値は一例であり、これに限定されない。
【００２９】
このように帯電装置２０は、用紙使用量の増加に応じてブラシ２２の食い込み領域を、ブラシ位置変化部２３で変化させることにより、感光体１０に接触するブラシ２２の繊維の部分を新しいものにする。すなわち、図３に示すように、ブラシ位置変化部２３を有する帯電装置２０では、用紙使用量が３万枚まで、感光体１０に帯電むらなどを発生しないようにする。なお、上記の食い込み量の数値などは一例であり、これに限定されない。
【００３０】
一方、図３の参考例は、上記のような機能を有しない帯電装置について示している。この参考例では、食い込み領域の回転方向の長さが１．２５ｍｍに固定されており、ブラシ２２から感光体１０への良好な帯電は、用紙使用量が１万枚までである。すなわち、用紙使用量が１万枚を超えたときは、帯電むらが発生してしまうということである。
【００３１】
次に図４を用いて、ブラシ位置変化部２３の一例について説明する。ブラシ位置変化部２３は、制御部２で制御されるステッピングモータなどのモータ１１０、このモータ１１０の駆動力により回転する回転ギア１１１、この回転ギア１１１の回転により前後に移動する移動ギア１１２、軸２１が回転し移動ギア１１２とともに移動するように、移動ギア１１２に設けられたベアリング１１３、及び、移動ギア１１２を保持する保持部１１４を有する。
【００３２】
図４（ａ）は、ブラシ位置変化部２３の一例を示す概略側面図である。図４（ａ）に示すように、回転ギア１１１の回転にともない移動ギア１１２が、前後、すなわち図４（ａ）に示す左右に移動する。回転ギア１１１が反時計回りに回転すると、移動ギア１１２が、右方向に保持部１１４に沿うようにして移動する。この移動により、ベアリング１１３が、下方及び右方向に移動するとともに、軸２１も下方及び右方向に移動する。
【００３３】
図４（ｂ）は、ブラシ位置変化部２３の概略正面図である。すなわち、図４（ａ）の右方向から見た模式図である。図４（ｂ）で示すブラシ２２が、ベアリング１１３の下方への移動にともなう軸２１がブラシ２２とともに下方に移動し、このブラシ２２の感光体１０の表面への食い込みが増加することになる。図中に実線矢印で下方を示した。
【００３４】
このような機能を有する帯電装置２０によれば、ブラシ２２の繊維の感光体１０への食い込み量を、用紙使用量の増加に応じて大きくさせることで、外添剤で汚染されていない繊維の新しい繊維面で帯電が行われ、感光体１０への帯電むらなどの帯電不良を抑制する。なお、ブラシ位置変化部２３は、上記の例に限定されず、ブラシ２２の位置を変化させる機能を有するものであればよい。
【００３５】
（第２実施形態）
次に、図５、図６を用いて第２実施形態の帯電装置２０ａを説明する。図５に示す帯電装置２０ａは、第１実施形態の帯電装置２０と同様にブラシ２２を有する。この帯電装置２０ａは、感光体１０の回転速度に対して、軸２１の回転速度を変化させ、また、感光体１０の回転方向に対して軸２１の回転方向を変化させることで感光体１０への帯電を維持する接触位置変更手段の一例であるブラシ回転変化部２３ａを有する。
【００３６】
図５（ａ）は、ブラシ２２と感光体１０の回転方向が同方向であり、このブラシ２２の回転速度が感光体１０の回転速度以上である状態を示している。図５（ｂ）は、ブラシ２２と感光体１０の回転方向が同方向であり、このブラシ２２の回転速度が感光体１０の回転速度未満である状態を示している。図５（ｃ）は、ブラシ２２が、回転を停止、又は、感光体１０の回転方向と逆の方向で回転をしている状態を示している。
【００３７】
ブラシ回転変化部２３ａは、用紙使用量の増加に応じて、図５（ａ）の状態から図５（ｂ）の状態への変化、又は、図５（ｂ）の状態から図５（ａ）の状態へ変化させる。また、ブラシ回転変化部２３ａは、図５（ａ）の状態から図５（ｃ）の状態への変化、又は、図５（ｃ）の状態から図５（ａ）の状態へ変化させる。このようにブラシ回転変化部２３ａによるブラシ２２の回転速度又は回転方向の変化により、ブラシ２２は、感光体１０との接触において新しい部分を用いる。
【００３８】
ブラシ回転変化部２３ａの動作の一例について説明する。ブラシ回転変化部２３ａは、画像形成装置の用紙使用量が１万枚までのとき、図５（ａ）の状態を維持している。すなわち、ブラシ２２の回転速度をＶｂとし、感光体１０の回転速度をＶｐとしたときに、Ｖｂ／Ｖｐ≧１の関係になるように制御する。
そして、ブラシ回転変化部２３ａは、画像形成装置の用紙使用量が１万枚を超え２万枚までのとき、図５（ａ）の状態から図５（ｂ）の状態へ変化させる。すなわち、０＜Ｖｂ／Ｖｐ＜１の関係になるように制御する。
【００３９】
次に図６を用いて、ブラシ回転変化部２３ａの一例について説明する。ブラシ回転変化部２３ａは、制御部２で制御されるモータ１２０、軸２１がモータ１２０の回転と連動するように設けられたフレキシブルカップリング部材であるカップリング１２１とを有する。ブラシ回転変化部２３ａは、モータ１２０の回転の速度を変化させ、又は、回転の方向を変化させることで、カップリング１２１を介して、軸受１２２で支えられている軸２１の回転速度、又は、回転方向を変化させる。
【００４０】
このような機能を有する帯電装置２０ａによれば、用紙使用量の増加に応じてブラシ２２の回転速度又は方向を、ブラシ回転変化部２３ａで変化させることにより、ブラシ２２の静電植毛の新しい部分が感光体１０に接触することで、外添剤などの汚染による帯電不良を抑制する。なお、ブラシ回転変化部２３ａは、上記の例に限定されず、ブラシ２２の回転を変化させる機能を有するものであればよい。
【００４１】
（第３実施形態）
次に、図７を用いて第３実施形態の帯電装置２０ｂについて説明する。図７（ａ）に示す帯電装置２０ｂは、実施形態１の帯電装置２０と同様なブラシ２２を有する。また、帯電装置２０ｂは、軸２１の軸方向に移動しながらブラシ２２の向きを傾けるように接触し、このブラシ２２をならすようにするブラシならし部２３ｂを有する。軸方向は、図中に実線矢印で示した。
【００４２】
ブラシならし部２３ｂは、ブラシ２２に対する移動の速度又は方向を変化させることで、このブラシ２２から感光体１０への帯電を維持する接触位置変更手段の一例である。すなわち、このブラシならし部２３ｂは、用紙使用量の増加に応じて、ブラシ２２をならすための速度、又は、ならし方向を変化し、ブラシ２２をならすようにする。
【００４３】
ブラシならし部２３ｂの動作の一例について説明する。図７（ｂ），（ｃ）は、ブラシ２２に対するブラシならし部２３ｂの速度、又は、方向の変化の一例を示している。図７（ｂ）は、左の図が示すように、ブラシならし部２３ｂが左の方向に、予め定められた速度で移動している。ブラシならし部２３ｂは、このような移動状態を、例えば、画像形成装置１の用紙使用量が１万枚になるまで維持する。そして、ブラシならし部２３ｂは、画像形成装置の用紙使用量が１万枚を超えたとき、図７（ｂ）の右の図に示すように、上記の予め定められた速度と異なる速度、例えば、この速度より速い速度に変化し、ブラシ２２の傾きを変化させる。
【００４４】
また、図７（ｃ）は、左の図が示すように、ブラシならし部２３ｂが左の方向に、予め定められた速度で移動している。ブラシならし部２３ｂは、このような移動状態を、例えば、画像形成装置の用紙使用量が１万枚になるまで維持する。そして、ブラシならし部２３ｂは、画像形成装置の用紙使用量が１万枚を超えたとき、図７（ｃ）の右の図に示すように、上記の予め定められた速度の方向とは逆の方向の予め定められた速度に変化し、ブラシ２２の傾きを変化させる。
【００４５】
このような機能を有する帯電装置２０ｂによれば、ブラシならし部２３ｂの速度又は方向を変え、ブラシ２２の傾きを変化させることで、ブラシ２２の感光体１０に接する部分を変化させ、帯電むらなどの帯電不良を抑制する。なお、ブラシならし部２３ｂは、上記の例に限定されず、ブラシ２２に対してならしのための速度又は方向を変化させる機能を有するものであればよい。
【００４６】
以上が第１〜第３実施形態の帯電装置２０〜２０ｂの説明である。このような実施形態によれば、ブラシ２２の食い込み量を帯電時間又は帯電時間に相当する値の増加に応じて変化させるなど、帯電を良好に維持する接触位置変更手段を有しており、帯電不良を抑制する。特に、本実施形態のように、ブラシ２２を用いた帯電装置においては、外添剤で汚染され易い傾向にあり、上記の接触位置変更手段は有効な手段である。
【００４７】
このような帯電装置２０〜２０ｂを用いた画像形成装置１は、感光体１０に対する帯電が安定して行われることにより、転写前の帯電量の調整を不要とし、低コスト化を図れる。また、この画像形成装置１は、感光体１０への帯電を安定させることにより、感光体１０と現像部４０との現像ギャップを調整する必要のない構成とし、低コスト化を図れる。
【００４８】
以上、実施形態においては、帯電時間に相当する値として用紙使用量を用いたが、これに限らない。例えば、感光体１０またはブラシ２２を回転させた時間の累積、感光体１０またはブラシ２２の回転回数の累積、感光体１０またはブラシ２２の回転時間、ないし、感光体１０またはブラシ２２の回転回数を帯電に要する電圧条件毎に累積し、各累積値を各電圧条件に応じた補正値で補正し、合算した値等を用いることができる。
【符号の説明】
【００４９】
１  画像形成装置
２  制御部
１０  感光体
２０，２０ａ，２０ｂ  帯電装置
２１  軸
２２  ブラシ
２３  ブラシ位置変化部
２３ａ  ブラシ回転変化部
２３ｂ  ブラシならし部
３０  露光部
４０  現像部
４１  現像ロール
５０  転写部
６０  定着部
７０  クリーニング部
８０  用紙収納部
８１  用紙供給部
９０  給紙ロール
９１  搬送ロール
９２  加熱ロール
１１０，１２０  モータ
１１１  回転ギア
１１２  移動ギア
１１３  ベアリング
１１４  保持部
１２１  カップリング
１２２  軸受
Ｋａ，Ｋｂ，Ｋｃ  食込領域
Ｐ  用紙
【図１】
2014153452.tif 000003
【図２】
2014153452.tif 000004
【図３】
2014153452.tif 000005
【図４】
2014153452.tif 000006
【図５】
2014153452.tif 000007
【図６】
2014153452.tif 000008
【図７】
2014153452.tif 000009